(57)【要約】【課題】  アカウントの不正使用を抑制することができるアカウント不正使用抑制装置およびアカウント不正使用抑制プログラムを提供する。【解決手段】  アカウント記憶部６、アカウント選択部９、パスワード設定情報送信部１０、パスワード書換え部１１、およびパスワード変更部１２を備える。アカウント選択部９は、所定期間ごとにアカウント記憶部６の第１アカウントおよび第２アカウントから交互に選択する。パスワード設定情報送信部１０は、データ送信装置２から第１アカウントを用いてアクセスされたときに、第２アカウントのパスワード設定情報をデータ送信装置２へ送信する。パスワード書換え部１１は、インターネット管理装置３に対して、所定期間が経過したときに第２アカウントのパスワードの書換えを行う。パスワード変更部１２は、アカウント記憶部６の第１アカウントのパスワードを、所定期間が経過したときに変更する。【選択図】      図１
2007065774.tif 000002
【特許請求の範囲】
【請求項１】
複数のデータ送信装置（２）から公衆回線網（４）を経由してデータ収集装置（５）へデータを送るときに用いる第１アカウントおよび第２アカウントならびに各アカウントのパスワードを記憶したアカウント記憶部（６）と、
所定の期間ごとに前記第１アカウントおよび第２アカウントから交互に選択するアカウント選択部（９）と、
前記アカウント選択部（９）によって選択された前記第１アカウントまたは第２アカウントのうちのいずれか一方を用いて前記データ送信装置（２）からアクセスされたときに、前記第１アカウントまたは第２アカウントのうちの他方の前記パスワードの設定状況に関するパスワード設定情報を前記データ送信装置（２）へ送信するパスワード設定情報送信部（１０）と、
前記第１アカウントおよび第２アカウントならびに各アカウントのパスワードを管理する管理装置（３）に対して、前記所定の期間が経過するごとに前記第１アカウントまたは第２アカウントのうちの他方の前記パスワードの書換えを行うパスワード書換え部（１１）と、
前記アカウント記憶部（６）に記憶されているパスワードにおいて前記第１アカウントおよび第２アカウントのうちの一方の前記パスワードを、前記所定の期間が経過するごとに変更するパスワード変更部（１２）と、
を備えているアカウント不正使用抑制装置（８）。
【請求項２】
複数のデータ送信装置（２）から公衆回線網（４）を経由してデータ収集装置（５）へデータを送るときに用いる複数のアカウントおよび各アカウントのパスワードを各データ送信装置（２）に対応付けて記憶したアカウント記憶部（２６）と、
複数の前記アカウントの各パスワードを所定の期間ごとに変更するパスワード変更部（３２）と、
前記データ送信装置（２）からアクセスされたときに、前記パスワードの設定状況に関するパスワード設定情報を前記データ送信装置（２）へ送信するパスワード設定情報送信部（３０）と、
複数の前記アカウントおよび各アカウントのパスワードを管理する管理装置（３）に対して、前記所定の期間が経過するごとに前記パスワードの書換えを行うパスワード書換え部（３１）と、
を備えているアカウント不正使用抑制装置（２８）。
【請求項３】
前記パスワード設定情報の送信状況を管理するための管理データベース（７）をさらに備えている、
請求項１または２に記載のアカウント不正使用抑制装置（８、２８）。
【請求項４】
前記管理データベース（７）は、前記パスワード設定情報の送信状況に関するステータスを記憶する、
請求項３に記載のアカウント不正使用抑制装置（８、２８）。
【請求項５】
前記管理データベース（７）は、前記アカウント記憶部（６）と一体になっている、
請求項３に記載のアカウント不正使用抑制装置（８、２８）。
【請求項６】
複数のデータ送信装置（２）から公衆回線網（４）を経由してデータ収集装置（５）へデータを送るときに用いる第１アカウントおよび第２アカウントから所定の期間ごとに交互に選択するアカウント選択ステップと、
選択された前記第１アカウントまたは第２アカウントのうちのいずれか一方を用いて前記データ送信装置（２）からアクセスされたときに、前記第１アカウントまたは第２アカウントのうちの他方のパスワードの設定状況に関するパスワード設定情報を前記データ送信装置（２）へ送信するパスワード設定情報送信ステップと、
前記第１アカウントおよび第２アカウントならびに各アカウントのパスワードを管理する管理装置（３）に対して、前記所定の期間が経過するごとに前記第１アカウントまたは第２アカウントのうちの他方の前記パスワードの書換えを行うパスワード書換えステップと、
前記第１アカウントおよび第２アカウントのうちの一方の前記パスワードを、前記所定の期間が経過するごとに変更するパスワード変更ステップと、
を含んでいるアカウント不正使用抑制プログラム。
【発明の詳細な説明】
【技術分野】
【０００１】
本発明は、アカウント不正使用抑制装置およびアカウント不正使用抑制プログラムに関する。
【背景技術】
【０００２】
従来より、インターネットなどの公衆回線網を利用するための認証に用いられるアカウントの不正使用を防止するために種々の方法が提案されている。特許文献１に記載のアカウント管理システムでは、ユーザがネットワーク経由で業務システムの使用を要求する場合には、ユーザ個人情報の審査後にアカウントＩＤを作成し、システム資源の使用権を与えている。
【特許文献１】特開２００２−２４５０１０号公報
【発明の開示】
【発明が解決しようとする課題】
【０００３】
しかし、アクセス権限のない第三者にアカウントおよびそのパスワードの情報が漏洩した場合に、インターネットなどの公衆回線網の不正アクセスが発生し、多額の利用料金が正規のアカウント保持者へ請求されるおそれがある。
また、第三者によって不正にパスワードの書き換えが行われた場合には、正規のアカウント保持者は、公衆回線網のサービスの提供が受けられなくなるという問題もある。
【０００４】
本発明の課題は、アカウントの不正使用を抑制することができるアカウント不正使用抑制装置およびアカウント不正使用抑制プログラムを提供することである。
【課題を解決するための手段】
【０００５】
第１発明のアカウント不正使用抑制装置は、アカウント記憶部と、アカウント選択部と、パスワード設定情報送信部と、パスワード書換え部と、パスワード変更部とを備えている。アカウント記憶部は、第１アカウントおよび第２アカウントならびに各アカウントのパスワードを記憶する。第１アカウントおよび第２アカウントならびに各アカウントのパスワードは、複数のデータ送信装置から公衆回線網を経由してデータ収集装置へデータを送るときに用いられる。アカウント選択部は、所定の期間ごとに第１アカウントおよび第２アカウントから交互に選択する。パスワード設定情報送信部は、アカウント選択部によって選択された第１アカウントまたは第２アカウントのうちのいずれか一方を用いてデータ送信装置からアクセスされたときに、第１アカウントまたは第２アカウントのうちの他方のパスワードの設定状況に関するパスワード設定情報をデータ送信装置へ送信する。パスワード書換え部は、管理装置に対して、所定の期間が経過するごとに第１アカウントまたは第２アカウントのうちの他方のパスワードの書換えを行う。管理装置は、第１アカウントおよび第２アカウントならびに各アカウントのパスワードを管理する。パスワード変更部は、アカウント記憶部に記憶されているパスワードにおいて第１アカウントおよび第２アカウントのうちの一方のパスワードを、所定の期間が経過するごとに変更する。
【０００６】
ここでは、アカウント選択部が所定の期間ごとに第１アカウントおよび第２アカウントから交互に選択し、さらに、パスワード変更部がアカウント記憶部に記憶されているパスワードにおいて第１アカウントおよび第２アカウントのうちの一方のパスワードを、所定の期間が経過するごとに変更する。これによって、２つのアカウントを所定の期間ごとに交互に入れ替えて使用することが可能になり、アカウントの不正使用を抑制することが可能である。
【０００７】
第２発明のアカウント不正使用抑制装置は、アカウント記憶部と、パスワード変更部と、パスワード設定情報送信部と、パスワード書換え部とを備えている。アカウント記憶部は、複数のアカウントおよび各アカウントのパスワードを各データ送信装置に対応付けて記憶する。複数のアカウントおよび各アカウントのパスワードは、複数のデータ送信装置から公衆回線網を経由してデータ収集装置へデータを送るときに用いられる。パスワード変更部は、複数のアカウントの各パスワードを所定の期間ごとに変更する。パスワード設定情報送信部は、データ送信装置からアクセスされたときに、パスワードの設定状況に関するパスワード設定情報をデータ送信装置へ送信する。パスワード書換え部は、管理装置に対して、所定の期間が経過するごとにパスワードの書換えを行う。管理装置は、複数のアカウントおよび各アカウントのパスワードを管理する。
ここでは、パスワード変更部が各データ送信装置に対応する各アカウントのパスワードを所定の期間ごとに変更することにより、アカウントの不正使用を抑制することが可能である。
【０００８】
第３発明のアカウント不正使用抑制装置は、第１発明または第２発明のアカウント不正使用抑制装置であって、管理データベースをさらに備えている。管理データベースは、パスワード設定情報の送信状況を管理するためのデータベースである。
ここでは、管理データベースによってパスワード設定情報の送信状況の管理が可能である。
【０００９】
第４発明のアカウント不正使用抑制装置は、第３発明のアカウント不正使用抑制装置であって、管理データベースは、パスワード設定情報の送信状況に関するステータスを記憶する。
ここでは、パスワード設定情報の送信状況に関するステータスを管理することが可能である。
【００１０】
第５発明のアカウント不正使用抑制装置は、第３発明のアカウント不正使用抑制装置であって、管理データベースは、アカウント記憶部と一体になっている。
ここでは、管理データベースがアカウント記憶部と一体になっているので、アカウントおよびパスワード設定情報の送信状況を一括して管理することが可能である。
【００１１】
第６発明のアカウント不正使用抑制プログラムは、アカウント選択ステップと、パスワード設定情報送信ステップと、パスワード書換えステップと、パスワード変更ステップとを含んでいる。第１アカウントおよび第２アカウントは、複数のデータ送信装置から公衆回線網を経由してデータ収集装置へデータを送るときに用いられる。アカウント選択ステップは、所定の期間ごとに第１アカウントおよび第２アカウントから交互に選択する。パスワード設定情報送信ステップは、選択された第１アカウントまたは第２アカウントのうちのいずれか一方を用いてデータ送信装置からアクセスされたときに、第１アカウントまたは第２アカウントのうちの他方のパスワードの設定状況に関するパスワード設定情報をデータ送信装置へ送信する。パスワード書換えステップは、管理装置に対して、所定の期間が経過するごとに第１アカウントまたは第２アカウントのうちの他方のパスワードの書換えを行う。管理装置は、第１アカウントおよび第２アカウントならびに各アカウントのパスワードを管理する。パスワード変更ステップは、第１アカウントおよび第２アカウントのうちの一方のパスワードを、所定の期間が経過するごとに変更する。
ここでは、アカウント選択ステップにおいて、所定の期間ごとに第１アカウントおよび第２アカウントから交互に選択し、さらに、パスワード変更ステップにおいて、アカウント記憶部に記憶されているパスワードにおいて第１アカウントおよび第２アカウントのうちの一方のパスワードを、所定の期間が経過するごとに変更する。したがって、データ収集装置、２つのアカウントを所定の期間ごとに交互に入れ替えて使用することが可能になり、アカウントの不正使用を抑制することが可能である。
【発明の効果】
【００１２】
第１発明によれば、２つのアカウントを所定の期間ごとに交互に入れ替えて使用することにより、アカウントの不正使用を抑制することができる。
第２発明によれば、各アカウントのパスワードを所定の期間ごとに変更することにより、アカウントの不正使用を抑制することができる。
第３発明によれば、パスワード設定情報の送信状況の管理ができる。
【００１３】
第４発明によれば、パスワード設定情報の送信状況に関するステータスを管理することができる。
第５発明によれば、アカウントおよびパスワード設定情報の送信状況を一括して管理することができる。
第６発明によれば、２つのアカウントを所定の期間ごとに交互に入れ替えて使用することにより、アカウントの不正使用を抑制することができる。
【発明を実施するための最良の形態】
【００１４】
〔第１実施形態〕
図１には、複数の機器監視装置２によって空調機等の管理対象機器を遠隔監視するための機器管理システム１が示されている。機器管理システム１は、複数の機器監視装置２と、インターネット管理装置３と、データ収集装置５とを備えている。
複数の機器監視装置２は、空調機等の管理対象機器についての運転状況や故障状況等を監視し、それらの監視データを公衆回線網であるインターネット４を経由してデータ収集装置５へ送信するローカルコントローラ（ＬＣ）である。送信される監視データは、日報としてデータ収集装置５へ毎日少なくとも１回発報される（日報発報）。
【００１５】
インターネット管理装置３は、インターネット・サービス・プロバイダ（ＩＳＰ）のコンピュータなどからなる。インターネット管理装置３は、複数の機器監視装置２からインターネット４を経由してデータ収集装置５へ監視データを送るときに用いられる所定のアカウントを管理する。所定のアカウントは、共有の第１アカウントおよび第２アカウントである。複数の機器監視装置２は、共有の第１アカウントおよび第２アカウントを用いて、データ収集装置５へアクセスすることが可能である。
【００１６】
データ収集装置５は、複数の機器監視装置２から送られてきた監視データを収集して管理する。また、データ収集装置５に内蔵されるアカウント選択部９、パスワード設定情報送信部１０、パスワード書換え部１１、およびパスワード変更部１２は、後述するアカウント不正使用抑制装置８に含まれている。
さらに、機器監視装置２とデータ収集装置５との間には、インターネット４をバックアップするための電話回線１５が設けられている。
【００１７】
＜アカウントの入手方法＞
アカウントは、以下の手順でデータ収集装置５およびアカウント不正使用抑制装置８側に入手される。
まず、図５のフローチャートに示されるステップＳ１において、空調機等の物件に関する物件情報をデータ収集装置５側が収集および登録する。
【００１８】
物件情報が登録されたとき、ステップＳ２において、データ収集装置５がインターネット管理装置３へアカウントを要求する。
アカウントの要求があったとき、ステップＳ３において、インターネット管理装置３は、ＩＤを発行する。
ついで、ステップＳ４において、データ収集装置５がインターネット管理装置３から新しく発行されたＩＤに対応するアカウントを入手する。
【００１９】
ついで、ステップＳ５において、アカウント不正使用抑制装置８がアカウントの登録および更新を行う。
そして、ステップＳ６において、アカウント不正使用抑制装置８は、アカウントの管理を行う。
＜アカウント不正使用抑制装置８の構成＞
図１に示されるアカウント不正使用抑制装置８は、アカウント管理データベース６と、ダウンロード管理データベース７と、アカウント選択部９と、パスワード設定情報送信部１０と、パスワード書換え部１１と、パスワード変更部１２とを備えている。
【００２０】
アカウント管理データベース６は、図２に示されるように、複数の機器監視装置２からインターネット４を経由してデータ収集装置５へデータを送るときに用いる第１アカウント（以下、アカウントＡという）および第２アカウント（以下、アカウントＢという）ならびに各アカウントのパスワードを記憶して管理する。アカウント管理データベース６には、アカウント管理テーブル１３が記憶されている。アカウント管理テーブル１３には、アカウントの名称１３ａとともに、アカウントＡおよびアカウントＢに対応付けられた情報、すなわち、各アカウントのパスワード１３ｂ、各アカウントの対象１３ｃ、および各アカウントが利用中であることを示すフラグ１３ｄも含まれている。
【００２１】
第１実施形態では、各アカウントの対象１３ｃは、全ての機器監視装置２（ＬＣ）に設定されている。すなわち、全ての機器監視装置２は、アカウントＡおよびアカウントＢを共有している。
ダウンロード管理データベース７は、図３に示されるように、ダウンロードに関する情報を記憶して管理する。ダウンロード管理データベース７には、ダウンロード管理テーブル１４が記憶されている。ダウンロード管理テーブル１４には、機器監視装置２の各々の登録番号ＬＣ０１、ＬＣ０２・・・に対応付けられたダウンロードに関する情報、すなわち、ダウンロードが必要か否かのフラグ１４ａおよびダウンロードを実施したか否かのステータス１４ｂが含まれている。
【００２２】
アカウント選択部９は、所定の期間（例えば、１日）ごとにアカウントＡおよびアカウントＢから交互に選択する。アカウント選択部９によってアカウントＡおよびアカウントＢのいずれか一方が選択されたとき、アカウント管理テーブル１３のフラグ１３ｄは、選択されたアカウントの側では「利用中」になる。機器監視装置２からの日報発報が１日に少なくとも１回あるので、アカウント選択およびパスワード変更のための所定の期間は、１日あるいはそれ以下に設定することが可能である。
【００２３】
パスワード設定情報送信部１０は、アカウント選択部９によって選択されたアカウントＡまたはアカウントＢのうちのいずれか一方を用いて機器監視装置２からアクセスされたときに、アカウントＡまたはアカウントＢのうちの他方のパスワードの設定状況に関するパスワード設定情報をインターネット管理装置３を介して機器監視装置２へ送信する。例えば、アカウントＡを用いて機器監視装置２がデータ収集装置５にアクセスして日報発報をするときに、パスワード設定情報送信部１０は、全ての機器監視装置２へアカウントＢに関するパスワード設定情報を送信する。
【００２４】
パスワード書換え部１１は、アカウントＡおよびアカウントＢならびに各アカウントのパスワードを管理するインターネット管理装置３に対して、所定の期間が経過するごとにアカウントＡまたはアカウントＢのうちの他方のパスワードの書換えを行う。パスワード書換え部１１は、アカウントＡまたはアカウントＢのうちの他方の新しいパスワードを含むパスワード書換え情報をインターネット管理装置３へ送信する。
【００２５】
パスワード変更部１２は、アカウント管理データベース６に記憶されているパスワード１３ｂにおいてアカウントＡおよびアカウントＢのうちの一方のパスワード１３ｂを、所定の期間が経過するごとに変更する。例えば、アカウントＡが利用されている所定の期間が経過した後、パスワード変更部１２は、アカウント管理テーブル１３におけるアカウントＡに対応するパスワード１３ｂを変更する。
【００２６】
＜アカウント不正使用抑制装置８の動作手順＞
つぎに、図４のタイムチャートおよび図６のフローチャートを参照しながら、アカウント不正使用抑制装置８の動作手順について説明する。
図４における最初の期間Ｉでは、機器監視装置２とデータ収集装置５との間がアカウントＡを用いて通信可能な状態になっている。
【００２７】
図４の期間Ｉにおいて、まず、図６のステップＳ１１に示されるように、次のアクセスのためのアカウント情報を全ての機器監視装置２（ＬＣ）に返送する。具体的には、図３のダウンロード管理データベース７のダウンロード管理テーブル１４において、ダウンロードのフラグ１４ａが「必要」であり、かつステータス１４ｂが「未実施」である場合、機器監視装置２からの日報発報に対する返信として、パスワード設定情報送信部１０は、次の期間ＩＩ（図４参照）におけるアクセスのためのアカウントＢのパスワード設定情報を機器監視装置２に送り、その後、ダウンロード管理テーブル１４のステータス１４ｂを「完了」に変更する。
【００２８】
ついで、ステップＳ１２に示されるように、図４の期間Ｉが経過後、アカウント選択部９は、図２のアカウント管理テーブル１３において次の期間ＩＩにおけるアクセスのためのアカウントＢを選択する。具体的には、アカウント選択部９によって期間ＩＩにおけるアクセスのためのアカウントＢが選択され、図２のアカウント管理テーブル１３のフラグ１３ｄは、選択されたアカウントＢの側では「利用中」になり、アカウントＡの側では「未利用」になる。
【００２９】
ついで、ステップＳ１３に示されるように、アカウント管理テーブル１３において次々回の期間ＩにおけるアクセスのためのアカウントＡのパスワードを変更する。具体的には
、パスワード変更部１２が、アカウント管理テーブル１３のアカウントＡのためのパスワード１３ｂを変更する。
【００３０】
ついで、ステップＳ１４に示されるように、ダウンロード管理テーブル１４の内容を変更をする。具体的には、パスワード設定情報送信部１０は、ダウンロード管理テーブル１４において、全ての機器監視装置２に関するダウンロードのフラグ１４ａを「必要」に書き換え、ステータス１４ｂを「未実施」に変更する。
そののち、ステップＳ１５に示されるように、アカウント管理テーブル１３およびダウンロード管理テーブル１４の内容の変更を完了後、パスワード書換え部１１は、インターネット管理装置３のアカウント情報の修正を行う。具体的には、パスワード書換え部１１は、インターネット管理装置３に対して、期間Ｉで利用されるアカウントＡから期間ＩＩで利用されるアカウントＢへ、アカウント情報の修正を行う。
【００３１】
以上の手順でアカウントの変更を行うことによって、図４に示されるように、全ての機器監視装置２がアカウントＡでデータ収集装置５へアクセスする期間Ｉには、他のアカウントＢについてのパスワードを更新して更新後のパスワード情報を全ての機器監視装置２へ送信する。一方、全ての機器監視装置２がアカウントＢでデータ収集装置５へアクセスする期間ＩＩには、他のアカウントＡについてのパスワードを更新して更新後のパスワード情報を全ての機器監視装置２へ送信する。
【００３２】
また、新たに増設された機器監視装置２において、一方のアカウントＡはダウンロードされているが、アカウントＢについてはダウンロードされていない場合には、アカウントＡでアクセスする期間Ｉにおいて、新たに増設された機器監視装置２へアカウントＢのダウンロードを行う。
期間ＩＩの終了後、さらに、期間Ｉと同様に、全ての機器監視装置２がアカウントＡでデータ収集装置５へアクセスする期間IIIに移行し、他のアカウントＢについてのパスワー
ドを更新して更新後のパスワード情報を全ての機器監視装置２へ送信する。
【００３３】
なお、アカウント変更等の原因により、インターネット４を経由して機器監視装置２とデータ収集装置５との間の通信が確立されない場合には、バックアップ用の回線として、他の公衆回線網である電話回線１５を介して、通信を確立することが可能である。また、新たに増設された機器監視装置２が最初にデータ収集装置５と通信する場合にも、この機器監視装置２へアカウントが付与されていないので、電話回線１５を介して通信を行う。
【００３４】
＜第１実施形態の特徴＞
（１）
第１実施形態のアカウント不正使用抑制装置８では、アカウント選択部９は、所定の期間ごとにアカウントＡおよびアカウントＢから交互に選択する。パスワード設定情報送信部は、選択されたアカウントＡまたはアカウントＢのうちのいずれか一方を用いて機器監視装置２からアクセスされたときに、アカウントＡまたはアカウントＢの他方のパスワード設定情報を機器監視装置２へ送信する。パスワード書換え部１１は、インターネット管理装置３に対して、所定の期間が経過するごとにアカウントＡまたはアカウントＢの他方のパスワードの書換えを行う。パスワード変更部１２は、アカウント管理データベース６に記憶されているアカウントＡおよびアカウントＢのうちの一方のパスワードを、所定の期間が経過するごとに変更する。これにより、２つのアカウントを所定の期間ごとに交互に入れ替えて使用することにより、アカウントの不正使用を抑制することが可能である。
【００３５】
（２）
第１実施形態のアカウント不正使用抑制装置８は、パスワード設定情報の送信状況を管理するダウンロード管理データベース７をさらに備えているので、各機器監視装置２に関するパスワード設定情報の送信状況の管理、すなわちダウンロード管理が可能である。
（３）
第１実施形態では、ダウンロード管理データベース７は、パスワード設定情報の送信状況に関するステータスを記憶するので、各機器監視装置２について、パスワード設定情報の送信状況に関するステータスを管理することが可能である。
【００３６】
＜第１実施形態の変形例＞
（Ａ）
第１実施形態では、アカウント管理データベース６とダウンロード管理データベース７とが別々に構成されているが、本発明はこれに限定されるものではなく、ダウンロード管理データベース７は、アカウント管理データベース６と一体に構成されてもよい。ダウンロード管理データベース７がアカウント管理データベース６と一体になることによって、アカウントおよびパスワード設定情報の送信状況を一括して管理することが可能である。
【００３７】
（Ｂ）
第１実施形態のアカウント不正使用抑制装置８では、複数のアカウントを管理するためにアカウント管理データベース６が用いられているが、本発明はこれに限定されるものではなく、アカウント管理データベース６の代わりにアカウント管理用のサーバを用いてもよい。この場合、アカウント管理用のサーバによってアカウントのパスワード等の修正が可能になる。
【００３８】
（Ｃ）
上記の第１実施形態では、アカウントの不正使用を抑制するために、データ収集装置５に内蔵されたアカウント不正使用抑制装置８を用いているが、本発明はこれに限定されるものではなく、データ収集装置５がアカウント不正使用抑制プログラムを実行することによって、データ収集装置５自体が、アカウント不正使用検出装置８が有する機能を実行してもよい。この場合、アカウント不正使用抑制プログラムは、アカウント選択ステップと、パスワード設定情報送信ステップと、パスワード書換えステップと、パスワード変更ステップとを含んでいる。第１アカウント（アカウントＡ）および第２アカウント（アカウントＢ）は、複数のデータ送信装置２からインターネット４を経由してデータ収集装置５へデータを送るときに用いられる。アカウント選択ステップは、アカウント管理データベース６に記憶されている第１アカウントおよび第２アカウントから所定の期間ごとに交互に選択する。パスワード設定情報送信ステップは、選択された第１アカウントまたは第２アカウントのうちのいずれか一方を用いてデータ送信装置２からアクセスされたときに、第１アカウントまたは第２アカウントのうちの他方のパスワードの設定状況に関するパスワード設定情報をデータ送信装置２へ送信する。パスワード書換えステップは、インターネット管理装置３に対して、所定の期間が経過するごとに第１アカウントまたは第２アカウントのうちの他方のパスワードの書換えを行う。インターネット管理装置３は、第１アカウントおよび第２アカウントならびに各アカウントのパスワードを管理する。パスワード変更ステップは、アカウント管理データベース６に記憶されているパスワードにおいて第１アカウントおよび第２アカウントのうちの一方のパスワードを、所定の期間が経過するごとに変更する。
【００３９】
ここでは、アカウント選択ステップにおいて、所定の期間ごとに第１アカウントおよび第２アカウントから交互に選択し、さらに、パスワード変更ステップにおいて、アカウント記憶部に記憶されているパスワードにおいて第１アカウントおよび第２アカウントのうちの一方のパスワードを、所定の期間が経過するごとに変更する。したがって、データ収集装置５がアカウント不正使用抑制プログラムを実行することによって、２つのアカウントを所定の期間ごとに交互に入れ替えて使用することが可能になり、アカウントの不正使用を抑制することが可能である。
【００４０】
〔第２実施形態〕
第２実施形態のアカウント不正使用抑制装置２８は、図７に示されるように、アカウント管理データベース２６と、ダウンロード管理データベース２７と、パスワード設定情報送信部３０と、パスワード書換え部３１と、パスワード変更部３２とを備えている。アカウント不正使用抑制装置２８は、第１実施形態と共通の機器管理システム１に設けられている。したがって、図７に示される複数の機器監視装置２、インターネット管理装置３、およびデータ収集装置５は、それぞれ図１における同一符号の各構成要素と共通している。
【００４１】
アカウント管理データベース２６は、図８に示されるように、複数の機器監視装置２からインターネット４を経由してデータ収集装置５へデータを送るときに用いる複数のアカウント（アカウントＡおよびアカウントＢ）および各アカウントのパスワードを各機器監視装置２に対応付けて記憶する。アカウント管理テーブル３３には、アカウントの名称３３ａとともに、アカウントＡおよびアカウントＢに対応付けられた情報、すなわち、各アカウントのパスワード３３ｂ、および各アカウントの対象３３ｃも含まれている。
【００４２】
第２実施形態では、各アカウントの対象３３ｃは、個別の機器監視装置２（ＬＣ）に設定されている。すなわち、機器監視装置２は、それぞれ固有のアカウントを所有している。
ダウンロード管理データベース２７は、図９に示されるように、ダウンロードに関する情報を記憶して管理する。ダウンロード管理データベース２７には、ダウンロード管理テーブル３４が記憶されている。ダウンロード管理テーブル３４には、機器監視装置２の各々の登録番号ＬＣ０１、ＬＣ０２・・・に対応付けられたダウンロードに関する情報、すなわち、ダウンロードが必要か否かのフラグ３４ａおよびダウンロードを実施したか否かのステータス３４ｂが含まれている。
【００４３】
パスワード変更部３２は、アカウント管理データベース２６に記憶されている複数のアカウントの各パスワードを所定の期間（例えば、１日）ごとに変更する。機器監視装置２からの日報発報が１日に少なくとも１回あるので、パスワード変更のための所定の期間は、１日あるいはそれ以下に設定することが可能である。
パスワード設定情報送信部３０は、機器監視装置２からアクセスされたときに、パスワードの設定状況に関するパスワード設定情報を機器監視装置２へ送信する。
パスワード書換え部３１は、複数のアカウントおよび各アカウントのパスワードを管理するインターネット管理装置３に対して、所定の期間が経過するごとにパスワードの書換えを行う。
【００４４】
＜アカウント不正使用抑制装置２８の動作手順＞
つぎに、図１０のタイムチャートおよび図１１のフローチャートを参照しながら、アカウント不正使用抑制装置２８の動作手順について説明する。
【００４５】
図１０における最初の期間Ｉでは、複数の機器監視装置２とデータ収集装置５との間が各機器監視装置２の固有のアカウントを用いて通信可能な状態になっている。
図１０の期間Ｉにおいて、まず、図１１のステップＳ２１に示されるように、次のアクセスのためのアカウント情報を全ての機器監視装置２（ＬＣ）に返送する。具体的には、図９のダウンロード管理データベース２７のダウンロード管理テーブル３４において、ダウンロードのフラグ３４ａが「必要」であり、かつステータス３４ｂが「未実施」である場合、機器監視装置２からの日報発報に対する返信として、パスワード設定情報送信部３０は、次の期間ＩＩ（図１０参照）における各アカウントのパスワード設定情報をアカウントに対応する機器監視装置２に送り、その後、ダウンロード管理テーブル３４のステータス３４ｂを「完了」に変更する。
【００４６】
ついで、図１０の期間Ｉが経過後、ステップＳ２２に示されるように、アカウント管理テーブル３３において次々回の期間IIIにおけるアクセスのための各アカウントのパスワー
ドを変更する。具体的には、パスワード変更部３２が、図８のアカウント管理テーブル３３の各アカウントのパスワード３３ｂを変更する。
【００４７】
ついで、ステップＳ２３に示されるように、ダウンロード管理テーブル３４の内容を変更をする。具体的には、パスワード設定情報送信部３０は、図９のダウンロード管理テーブル３４において、全ての機器監視装置２に関するダウンロードのフラグ１４ａを「必要」に書き換え、ステータス１４ｂを「未実施」に変更する。
そののち、ステップＳ２４に示されるように、アカウント管理テーブル３３およびダウンロード管理テーブル３４の内容の変更を完了後、パスワード書換え部３１は、インターネット管理装置３のアカウント情報の修正を行う。具体的には、パスワード書換え部３１は、インターネット管理装置３に対して、期間Ｉで利用されるパスワードから期間ＩＩで利用されるパスワードへ、アカウント情報の修正を行う。
【００４８】
以上の手順でアカウントの変更を行うことによって、図１０に示されるように、全ての機器監視装置２に対応するアカウントについて、所定の期間の経過後にパスワードを変更することが可能である。
なお、アカウント変更等の原因により、インターネット４を経由して機器監視装置２とデータ収集装置５との間の通信が確立されない場合には、バックアップ用の回線として、他の公衆回線網である電話回線１５を介して、通信を確立することが可能である。
【００４９】
＜第２実施形態の特徴＞
（１）
第２実施形態のアカウント不正使用抑制装置２８では、アカウント管理データベース２６は、複数のアカウントおよび各アカウントのパスワードを各機器監視装置２に対応付けて記憶する。パスワード変更部３２は、複数のアカウントの各パスワードを所定の期間ごとに変更する。パスワード設定情報送信部３０は、機器監視装置２からアクセスされたときに、パスワードの設定状況に関するパスワード設定情報を機器監視装置２へ送信する。パスワード書換え部３１は、インターネット管理装置３に対して、所定の期間が経過するごとにパスワードの書換えを行う。これによって、パスワード変更部３２が各機器監視装置２に対応する各アカウントのパスワードを所定の期間ごとに変更することにより、アカウントの不正使用を抑制することが可能である。
【００５０】
（２）
第２実施形態のアカウント不正使用抑制装置２８は、パスワード設定情報の送信状況を管理するダウンロード管理データベース２７をさらに備えているので、各機器監視装置２に関するパスワード設定情報の送信状況の管理、すなわちダウンロード管理が可能である。
【００５１】
（３）
第２実施形態では、ダウンロード管理データベース２７は、パスワード設定情報の送信状況に関するステータスを記憶するので、各機器監視装置２について、パスワード設定情報の送信状況に関するステータスを管理することが可能である。
＜第２実施形態の変形例＞
（Ａ）
第２実施形態では、アカウント管理データベース２６とダウンロード管理データベース２７とが別々に構成されているが、本発明はこれに限定されるものではなく、ダウンロード管理データベース２７は、アカウント管理データベース２６と一体に構成されてもよい。ダウンロード管理データベース２７がアカウント管理データベース２６と一体になることによって、アカウントおよびパスワード設定情報の送信状況を一括して管理することが可能である。
【００５２】
（Ｂ）
第２実施形態のアカウント不正使用抑制装置２８では、複数のアカウントを管理するためにアカウント管理データベース２６が用いられているが、本発明はこれに限定されるものではなく、アカウント管理データベース２６の代わりにアカウント管理用のサーバを用いてもよい。この場合、アカウント管理用のサーバによってアカウントのパスワード等の修正が可能になる。
【００５３】
〔第３実施形態〕
上記の第１および第２実施形態では、一日ごとにアクセスのためのアカウントを変更することによって、アカウントの不正使用を抑制しており、不正使用による被害を最長で２日に抑えることが可能である。ここで、アカウントの不正使用を早期に検出するために、インターネット管理装置３から、利用料金などの利用量関連値に関する情報をデータ収集装置５が受け取り、アカウントの不正使用を早期に検出することができるように、図１２に示されるアカウント不正使用検出装置５１を上記のアカウント不正使用抑制装置８または２８に追加してもよい。
【００５４】
＜アカウント不正使用検出装置５１の構成＞
アカウント不正使用検出装置５１は、図１２に示されるように、料金情報受信部５１と、検出部５２とを備えている。
料金情報受信部５１は、インターネット管理装置３から料金情報を受信する。料金情報は、インターネット管理装置３によるアカウントを用いたインターネット４の利用料金に関する情報である。
【００５５】
検出部５２は、インターネット管理装置３によるアカウントを用いたインターネット４の利用料金と所定のしきい値とを比較して、アカウントの不正使用を検出する。
＜アカウント不正使用の検出手順＞
図１３のフローチャートに示されるように、まずステップＳ３１において、インターネット管理装置３によって毎日の料金情報が管理されている。料金情報は、アカウント不正使用抑制装置８または２８に設けられたアカウント不正使用検出装置５１へ毎日定期的に送信される。
【００５６】
ついで、ステップＳ３２において、アカウント不正使用検出装置５１は、料金情報に基づいてアカウントの不正使用の発生を検知する。
アカウント不正使用検出装置５１によってアカウントの不正使用が検出されたときには、ステップＳ３３において、アカウントの更新を行う。例えば、上記のアカウント不正使用抑制装置８または２８によってパスワードのみの変更またはアカウントおよびパスワードの両方の変更をすればよい。それとともにデータ収集装置５からインターネット管理装置３およびアカウント保持者の所有するパソコンへ、アカウントの不正使用が有った旨および不正使用の状況等に関する情報が送信される。
【００５７】
＜第３実施形態の変形例＞
（Ａ）
第３実施形態では、インターネット管理装置３から送信される料金情報を受信する例が示されているが、本発明はこれに限定されるものではなく、インターネット管理装置３の着信データ量に関する情報を受信してもよい。着信データ量は、利用料金と相関関係を有するので、１日の着信データ量より利用料金を推測することが可能である。着信データ量から利用料金を推測する場合、機器監視装置２の数が少なくても誤検知の割合が少なくなる。
【００５８】
〔第４実施形態〕
上記の第１実施形態および第２実施形態の機器管理システム１に新しい機器監視装置（ＬＣ）２が追加されたときには、以下の手順でアカウント情報の設定を行うことが可能である。
まず、図１４のフローチャートにおけるステップＳ４１において、空調機等の物件が設置された現地において、新しい機器監視装置２を取付け後、機器監視装置２の試運転を行う。
【００５９】
ついで、ステップＳ４２において、新しい機器監視装置２からデータ収集装置５へ最初の日報発報を行う。ここで現時点では、アカウントが設定されていない状態なので、インターネット４を経由せずに、バックアップ用の電話回線１５を介して最初の日報発報を行う。
ついで、ステップＳ４３において、データ収集装置５は、日報受信処理を行う。
【００６０】
ついで、ステップＳ４４において、データ収集装置５は、機器監視装置２の登録番号が存在するか否かを判別する。登録番号が存在する場合には、ステップＳ４５に進み、存在しない場合は、ステップＳ４７へ進む。
ステップＳ４５において、データ収集装置５は、アカウントの発行が必要か否かを判別し、必要な場合は、ステップＳ４６において機器監視装置２の登録番号に対応する固有のアカウント発行処理を行う。
【００６１】
一方、ステップＳ４７において、データ収集装置５は、アカウントの発行が必要か否かを判別し、必要な場合は、ステップＳ４８において全ての機器監視装置２が共有するアカウントの発行処理を行う。
ついで、ステップＳ４９において、データ収集装置５は、アカウント情報を新しい機器監視装置２へ返信する。
【００６２】
その後、ステップＳ５０において、新しい機器監視装置２は、アカウント情報を設定する。これにより、次回からの日報発報は、インターネット４経由で行うことが可能になる。
【図面の簡単な説明】
【００６３】
【図１】本発明の第１実施形態に係わるアカウント不正使用抑制装置を含む機器管理システムの構成図。
【図２】図１のアカウント管理データベースの構成図。
【図３】図１のダウンロード管理データベースの構成図。
【図４】図１のアカウント不正使用抑制装置の動作を時系列に表したタイムチャート。
【図５】図１のデータ収集装置およびアカウント不正使用抑制装置におけるアカウントの入手方法の手順を示すフローチャート。
【図６】図１のアカウント不正使用抑制装置の動作手順を示すフローチャート。
【図７】本発明の第２実施形態に係わるアカウント不正使用抑制装置を含む機器管理システムの構成図。
【図８】図７のアカウント管理データベースの構成図。
【図９】図７のダウンロード管理データベースの構成図。
【図１０】図７のアカウント不正使用抑制装置の動作を時系列に表したタイムチャート。
【図１１】図７のアカウント不正使用抑制装置の動作手順を示すフローチャート。
【図１２】本発明の第３実施形態に係わるアカウント不正使用抑制装置に含まれるアカウント不正使用検出装置の構成図。
【図１３】図１２のアカウント不正使用検出装置を用いたアカウント不正使用検出の手順を示すフローチャート。
【図１４】本発明の第４実施形態である機器監視装置が新たに追加されたときのアカウント情報の設定方法の手順を示すフローチャート。
【符号の説明】
【００６４】
１  機器管理システム
２  機器監視装置
３  インターネット管理装置
４  インターネット
５  データ収集装置
６、２６  アカウント管理データベース
７、２７  ダウンロード管理データベース
８、２８  アカウント不正使用抑制装置
９  アカウント選択部
１０、３０  パスワード設定情報送信部
１１、３１  パスワード書換え部
１２、３２  パスワード変更部
【図１】
2007065774.tif 000003
【図２】
2007065774.tif 000004
【図３】
2007065774.tif 000005
【図４】
2007065774.tif 000006
【図５】
2007065774.tif 000007
【図６】
2007065774.tif 000008
【図７】
2007065774.tif 000009
【図８】
2007065774.tif 000010
【図９】
2007065774.tif 000011
【図１０】
2007065774.tif 000012
【図１１】
2007065774.tif 000013
【図１２】
2007065774.tif 000014
【図１３】
2007065774.tif 000015
【図１４】
2007065774.tif 000016
【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
複数のデータ送信装置（２）から公衆回線網（４）を経由してデータ収集装置（５）へデータを送るときに用いる第１アカウントおよび第２アカウントならびに各アカウントのパスワードを記憶したアカウント記憶部（６）と、
所定の期間ごとに前記第１アカウントおよび第２アカウントから交互に選択するアカウント選択部（９）と、
前記アカウント選択部（９）によって選択された前記第１アカウントまたは第２アカウントのうちのいずれか一方を用いて前記データ送信装置（２）からアクセスされたときに、前記第１アカウントまたは第２アカウントのうちの他方の前記パスワードの設定状況に関する情報であって、他方のアカウントについてのパスワード更新後のパスワード情報であるパスワード設定情報を複数の前記データ送信装置（２）すべてへ送信するパスワード設定情報送信部（１０）と、
前記第１アカウントおよび第２アカウントならびに各アカウントのパスワードを管理する管理装置（３）に対して、前記所定の期間が経過するごとに前記第１アカウントまたは第２アカウントのうちの他方の前記パスワードの書換えを行うパスワード書換え部（１１）と、
前記アカウント記憶部（６）に記憶されているパスワードにおいて前記第１アカウントおよび第２アカウントのうちの一方の前記パスワードを、前記所定の期間が経過するごとに変更するパスワード変更部（１２）と、
を備えているアカウント不正使用抑制装置（８）。
【請求項２】
複数のデータ送信装置（２）から公衆回線網（４）を経由してデータ収集装置（５）へデータを送るときに用いる複数のアカウントおよび各アカウントのパスワードを各データ送信装置（２）に対応付けて記憶したアカウント記憶部（２６）と、
複数の前記アカウントの各パスワードを所定の期間ごとに変更するパスワード変更部（３２）と、
前記データ送信装置（２）からアクセスされたときに、前記パスワードの設定状況に関する情報であって、他方のアカウントについてのパスワード更新後のパスワード情報であるパスワード設定情報を前記データ送信装置（２）へ送信するパスワード設定情報送信部（３０）と、
複数の前記アカウントおよび各アカウントのパスワードを管理する管理装置（３）に対して、前記所定の期間が経過するごとに前記パスワードの書換えを行うパスワード書換え部（３１）と、
を備えており、
前記管理データベース（７）は、前記パスワード設定情報の送信状況に関するステータスであって、ダウンロード「必要」、「不要」のフラグまたはダウンロード「実施」、「未実施」のフラグを含むステータスを記憶する、
アカウント不正使用抑制装置（２８）。
【請求項３】
前記パスワード設定情報の送信状況を管理するための管理データベース（７）をさらに備えている、
請求項１または２に記載のアカウント不正使用抑制装置（８、２８）。
【請求項４】
前記管理データベース（７）は、前記アカウント記憶部（６）と一体になっている、
請求項３に記載のアカウント不正使用抑制装置（８、２８）。
【請求項５】
複数のデータ送信装置（２）から公衆回線網（４）を経由してデータ収集装置（５）へデータを送るときに用いる第１アカウントおよび第２アカウントから所定の期間ごとに交互に選択するアカウント選択ステップと、
選択された前記第１アカウントまたは第２アカウントのうちのいずれか一方を用いて前記データ送信装置（２）からアクセスされたときに、前記第１アカウントまたは第２アカウントのうちの他方のパスワードの設定状況に関する情報であって、他方のアカウントについてのパスワード更新後のパスワード情報であるパスワード設定情報を複数の前記データ送信装置（２）すべてへ送信するパスワード設定情報送信ステップと、
前記第１アカウントおよび第２アカウントならびに各アカウントのパスワードを管理する管理装置（３）に対して、前記所定の期間が経過するごとに前記第１アカウントまたは第２アカウントのうちの他方の前記パスワードの書換えを行うパスワード書換えステップと、
前記第１アカウントおよび第２アカウントのうちの一方の前記パスワードを、前記所定の期間が経過するごとに変更するパスワード変更ステップと、
をデータ収集装置に実行させるアカウント不正使用抑制プログラム。
【手続補正２】
【補正対象書類名】明細書
【補正対象項目名】０００５
【補正方法】変更
【補正の内容】
【０００５】
第１発明のアカウント不正使用抑制装置は、アカウント記憶部と、アカウント選択部と、パスワード設定情報送信部と、パスワード書換え部と、パスワード変更部とを備えている。アカウント記憶部は、第１アカウントおよび第２アカウントならびに各アカウントのパスワードを記憶する。第１アカウントおよび第２アカウントならびに各アカウントのパスワードは、複数のデータ送信装置から公衆回線網を経由してデータ収集装置へデータを送るときに用いられる。アカウント選択部は、所定の期間ごとに第１アカウントおよび第２アカウントから交互に選択する。パスワード設定情報送信部は、アカウント選択部によって選択された第１アカウントまたは第２アカウントのうちのいずれか一方を用いてデータ送信装置からアクセスされたときに、第１アカウントまたは第２アカウントのうちの他方のパスワードの設定状況に関する情報であって、他方のアカウントについてのパスワード更新後のパスワード情報であるパスワード設定情報を複数のデータ送信装置すべてへ送信する。パスワード書換え部は、管理装置に対して、所定の期間が経過するごとに第１アカウントまたは第２アカウントのうちの他方のパスワードの書換えを行う。管理装置は、第１アカウントおよび第２アカウントならびに各アカウントのパスワードを管理する。パスワード変更部は、アカウント記憶部に記憶されているパスワードにおいて第１アカウントおよび第２アカウントのうちの一方のパスワードを、所定の期間が経過するごとに変更する。
【手続補正３】
【補正対象書類名】明細書
【補正対象項目名】０００７
【補正方法】変更
【補正の内容】
【０００７】
第２発明のアカウント不正使用抑制装置は、アカウント記憶部と、パスワード変更部と、パスワード設定情報送信部と、パスワード書換え部とを備えている。アカウント記憶部は、複数のアカウントおよび各アカウントのパスワードを各データ送信装置に対応付けて記憶する。複数のアカウントおよび各アカウントのパスワードは、複数のデータ送信装置から公衆回線網を経由してデータ収集装置へデータを送るときに用いられる。パスワード変更部は、複数のアカウントの各パスワードを所定の期間ごとに変更する。パスワード設定情報送信部は、データ送信装置からアクセスされたときに、パスワードの設定状況に関する情報であって、他方のアカウントについてのパスワード更新後のパスワード情報であるパスワード設定情報をデータ送信装置へ送信する。パスワード書換え部は、管理装置に対して、所定の期間が経過するごとにパスワードの書換えを行う。管理装置は、複数のアカウントおよび各アカウントのパスワードを管理する。管理データベースは、パスワード設定情報の送信状況に関するステータスであって、ダウンロード「必要」、「不要」のフラグまたはダウンロード「実施」、「未実施」のフラグを含むステータスを記憶する。
ここでは、パスワード変更部が各データ送信装置に対応する各アカウントのパスワードを所定の期間ごとに変更することにより、アカウントの不正使用を抑制することが可能である。
また、パスワード設定情報の送信状況に関するステータスであって、ダウンロード「必要」、「不要」のフラグまたはダウンロード「実施」、「未実施」のフラグを含むステータスを管理することが可能である。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
第４発明のアカウント不正使用抑制装置は、第３発明のアカウント不正使用抑制装置であって、管理データベースは、アカウント記憶部と一体になっている。
ここでは、管理データベースがアカウント記憶部と一体になっているので、アカウントおよびパスワード設定情報の送信状況を一括して管理することが可能である。
【手続補正６】
【補正対象書類名】明細書
【補正対象項目名】００１１
【補正方法】変更
【補正の内容】
【００１１】
第５発明のアカウント不正使用抑制プログラムは、アカウント選択ステップと、パスワード設定情報送信ステップと、パスワード書換えステップと、パスワード変更ステップとをデータ収集装置に実行させる。第１アカウントおよび第２アカウントは、複数のデータ送信装置から公衆回線網を経由してデータ収集装置へデータを送るときに用いられる。アカウント選択ステップは、所定の期間ごとに第１アカウントおよび第２アカウントから交互に選択する。パスワード設定情報送信ステップは、選択された第１アカウントまたは第２アカウントのうちのいずれか一方を用いてデータ送信装置からアクセスされたときに、第１アカウントまたは第２アカウントのうちの他方のパスワードの設定状況に関する情報であって、他方のアカウントについてのパスワード更新後のパスワード情報であるパスワード設定情報をデータ送信装置へ送信する。パスワード書換えステップは、管理装置に対して、所定の期間が経過するごとに第１アカウントまたは第２アカウントのうちの他方のパスワードの書換えを行う。管理装置は、第１アカウントおよび第２アカウントならびに各アカウントのパスワードを管理する。パスワード変更ステップは、第１アカウントおよび第２アカウントのうちの一方のパスワードを、所定の期間が経過するごとに変更する。
ここでは、アカウント選択ステップにおいて、所定の期間ごとに第１アカウントおよび第２アカウントから交互に選択し、さらに、パスワード変更ステップにおいて、アカウント記憶部に記憶されているパスワードにおいて第１アカウントおよび第２アカウントのうちの一方のパスワードを、所定の期間が経過するごとに変更する。したがって、データ収集装置、２つのアカウントを所定の期間ごとに交互に入れ替えて使用することが可能になり、アカウントの不正使用を抑制することが可能である。
【手続補正７】
【補正対象書類名】明細書
【補正対象項目名】００１２
【補正方法】変更
【補正の内容】
【００１２】
第１発明によれば、２つのアカウントを所定の期間ごとに交互に入れ替えて使用することにより、アカウントの不正使用を抑制することができる。また、パスワード設定情報の送信状況に関するステータスを管理することができる。
第２発明によれば、各アカウントのパスワードを所定の期間ごとに変更することにより、アカウントの不正使用を抑制することができる。
第３発明によれば、パスワード設定情報の送信状況の管理ができる。
【手続補正８】
【補正対象書類名】明細書
【補正対象項目名】００１３
【補正方法】変更
【補正の内容】
【００１３】
第４発明によれば、アカウントおよびパスワード設定情報の送信状況を一括して管理することができる。
第５発明によれば、２つのアカウントを所定の期間ごとに交互に入れ替えて使用することにより、アカウントの不正使用を抑制することができる。